(57)【要約】【課題】固定ボルトによる仮固定を必要とせずに噛合相手側ギヤへの組み付けを実現し得る新規なシザースギヤを提供する。【解決手段】同歯数のメインギヤ２とサブギヤ３との間にＣ字状のトーションスプリング４を同心状に介装すると共に、該トーションスプリング４の一端をノックピンを介しメインギヤ２側に固定し且つ他端をノックピン６を介しサブギヤ３側に固定したシザースギヤ１０に関し、メインギヤ２に対するサブギヤ３の相対的な回転位置をトーションスプリング４による所定の付勢力が得られ且つ相互の歯筋が揃うセット位置に固定し得るようメインギヤ２側にノックピン６が嵌まり込む固定穴８を設けると共に、該固定穴８に噛合相手側ギヤとのバックラッシより僅かに大きなずれ量分だけサブギヤ３のセット位置から付勢方向に向けた回転を許容し得るようガタを付しておく。【選択図】図１
2010127449.tif 000002
【特許請求の範囲】
【請求項１】
同歯数のメインギヤとサブギヤとの間にＣ字状のトーションスプリングを同心状に介装すると共に、該トーションスプリングの一端を第一のノックピンを介しメインギヤ側に固定し且つ他端を第二のノックピンを介しサブギヤ側に固定したシザースギヤであって、メインギヤに対するサブギヤの相対的な回転位置をトーションスプリングによる所定の付勢力が得られ且つ相互の歯筋が揃うセット位置に固定し得るようメインギヤ側に第二のノックピンが嵌まり込む固定穴を設けると共に、該固定穴に噛合相手側ギヤとのバックラッシより僅かに大きなずれ量分だけサブギヤのセット位置から付勢方向に向けた回転を許容し得るようガタを付したことを特徴とするシザースギヤ。
【発明の詳細な説明】
【技術分野】
【０００１】
本発明は原動機の回転変動に起因した打音低減を図るためのシザースギヤに関するものである。
【背景技術】
【０００２】
噛合した一対のギヤが滑らかに無理なく回転するためには、その歯面間にバックラッシと呼ばれる遊びを持たせる必要があるが、車両用エンジン等の原動機から駆動対象へ動力を伝達するギヤトレーンでは、互いに噛合しているギヤの歯面が原動機の回転変動により突き合って打音を発することがあるため、一段ギヤ機構の一方のギヤにシザースを用い、打音低減を図ることが一般的に実施されている（例えば、特許文献１参照）。
【０００３】
図４は従来におけるシザースギヤの一例を示すもので、この種のシザースギヤ１は、噛合相手側ギヤに噛合するメインギヤ２と、該メインギヤ２と同歯数で且つ噛合相手側ギヤに噛合する一方のサブギヤ３とを備え、これらメインギヤ２及びサブギヤ３を同軸に重ね合わせて配置し且つその相互間に周方向への付勢力（捩じり力）を付与するためのトーションスプリング４を介装した構成を採っている。
【０００４】
即ち、図５に示す通り、メインギヤ２とサブギヤ３との間にＣ字状のトーションスプリング４を同心状に介装すると共に、該トーションスプリング４の一端をノックピン５（第一のノックピン）を介しメインギヤ２側に固定し且つ他端をノックピン６（第二のノックピン）を介しサブギヤ３側に固定するようにしてある。
【０００５】
そして、サブギヤ３をメインギヤ２に対しトーションスプリング４のＣ字を開く方向に相対的に回転させて付勢力を生じさせた状態で噛合相手側ギヤに組み付けると、メインギヤ２の歯面とサブギヤ３の歯面とが噛合相手側ギヤの歯面を挟む状態となり、見掛け上、バックラッシがなくなって、原動機の回転変動に起因した打音低減が図られることになる。
【特許文献１】特開２００７−７１３６６号公報
【発明の開示】
【発明が解決しようとする課題】
【０００６】
しかしながら、斯かるシザースギヤ１においては、その組み付け前のフリー状態において、図５中に二点鎖線で示すフリー位置ａまでサブギヤ３が相対的に回転し、図６に示す如く、メインギヤ２とサブギヤ３の歯筋が大きくずれた状態となって、噛合相手側ギヤへの組み付けができないため、図７に示す如く、メインギヤ２に対するサブギヤ３の相対的な回転位置を、トーションスプリング４による所定の付勢力が得られ且つ相互の歯筋が揃うセット位置ｂに合わせて固定ボルト７によりサブギヤ３をメインギヤ２側に仮固定し、噛合相手側ギヤへの組み付けが完了した後に固定ボルト７を取り外すという作業が必要となり、この固定ボルト７を後から取り外す作業に非常に手間がかかるという問題があった。
【０００７】
即ち、実際の現場作業では、手前に構造物が邪魔をしているような複雑に入り組んだ場所にシザースギヤ１を取り付けなければならなかったり、ギヤカバーの装着後に取り付けを行わなければならなかったりするため、シザースギヤ１の取り付け後に手前の構造物を避けながら固定ボルト７を取り外したり、ギヤカバーに開けた窓を通して固定ボルト７を取り外したりする作業に多大な手間を要していた。
【０００８】
しかも、特にギヤカバーに開けた窓を通して固定ボルト７を取り外す場合においては、作業途中でギヤカバー内に固定ボルト７を落としてしまって該固定ボルト７のギヤカバー外への取り出しが困難となったり、固定ボルト７を抜き出すための窓を後から塞ぐ作業が必要となる等といった問題を招くこともあった。
【０００９】
本発明は上述した実情に鑑みてなしたもので、固定ボルトによる仮固定を必要とせずに噛合相手側ギヤへの組み付けを実現し得る新規なシザースギヤを提供することを目的としている。
【課題を解決するための手段】
【００１０】
本発明は、同歯数のメインギヤとサブギヤとの間にＣ字状のトーションスプリングを同心状に介装すると共に、該トーションスプリングの一端を第一のノックピンを介しメインギヤ側に固定し且つ他端を第二のノックピンを介しサブギヤ側に固定したシザースギヤであって、メインギヤに対するサブギヤの相対的な回転位置をトーションスプリングによる所定の付勢力が得られ且つ相互の歯筋が揃うセット位置に固定し得るようメインギヤ側に第二のノックピンが嵌まり込む固定穴を設けると共に、該固定穴に噛合相手側ギヤとのバックラッシより僅かに大きなずれ量分だけサブギヤのセット位置から付勢方向に向けた回転を許容し得るようガタを付したことを特徴とするものである。
【００１１】
而して、メインギヤに対しサブギヤをトーションスプリングの付勢力が発生する方向に相対的に回転させ、サブギヤ側に備えられている第二のノックピンをメインギヤ側の固定穴に嵌め込むと、メインギヤに対するサブギヤの相対的な回転位置が、トーションスプリングによる所定の付勢力が得られ且つ相互の歯筋が揃うセット位置から前記固定穴のガタ分だけ前記トーションスプリングの付勢方向にずれた位置に決まる。
【００１２】
ただし、そのずれ量は噛合相手側ギヤとのバックラッシより僅かに大きなものでしかなく、しかも、サブギヤは固定穴のガタ分だけメインギヤに対し回転することが許されていてトーションスプリングの付勢力に抗しセット位置に復帰させることが可能であるので、シザースギヤを組み付ける際に、メインギヤとサブギヤの何れか一方を先に噛合相手側ギヤに噛み合わせた後に他方を僅かに回転させるだけで相互の歯筋が揃い、シザースギヤの噛合相手側ギヤへの組み付けが可能となる。
【００１３】
尚、固定穴のガタには、噛合相手側ギヤとのバックラッシより僅かに大きなずれ量分が確保されているため、メインギヤの歯面とサブギヤの歯面とが噛合相手側ギヤの歯面を確実に挟む状態となってバックラッシが打ち消され、原動機の回転変動に起因した打音低減が従前通り図られることになる。
【発明の効果】
【００１４】
本発明のシザースギヤによれば、メインギヤに固定穴を新たに穿設するだけで既存の第二のノックピンにサブギヤをセット位置付近に固定する機能を持たせ、これによって、固定ボルトによる仮固定を必要とせずに噛合相手側ギヤへの組み付けを実現することができるので、シザースギヤの組み付け時における手間を従来より著しく向上することができ、作業員の労力負担を大幅に軽減することができるという優れた効果を奏し得る。
【発明を実施するための最良の形態】
【００１５】
以下本発明の実施の形態を図面を参照しつつ説明する。
【００１６】
図１〜図３は本発明を実施する形態の一例を示すもので、図４〜図７と同一の符号を付した部分は同一物を表わしている。
【００１７】
図１及び図２に示す如く、ここに図示している本形態例のシザースギヤ１０においては、先に図４〜図７で説明した従来のシザースギヤ１の場合と略同様に、同歯数のメインギヤ２とサブギヤ３との間にＣ字状のトーションスプリング４を同心状に介装すると共に、該トーションスプリング４の一端をノックピン５を介しメインギヤ２側に固定し且つ他端をノックピン６を介しサブギヤ３側に固定したものとなっているが、メインギヤ２に対するサブギヤ３の相対的な回転位置をトーションスプリング４による所定の付勢力が得られ且つ相互の歯筋が揃うセット位置に固定し得るようメインギヤ２側にノックピン６が嵌まり込む固定穴８を設けると共に、該固定穴８に噛合相手側ギヤとのバックラッシより僅かに大きなずれ量分だけサブギヤ３のセット位置から付勢方向に向けた回転を許容し得るようガタ９を付してある。
【００１８】
ここで、サブギヤ３側に備えられたノックピン６は、前記メインギヤ２側に新たに設けられた固定穴８に嵌まり込ませる必要があるため、トーションスプリング４の配置位置を超えてメインギヤ２側へ張り出し得るよう従来より長さ寸法を長く設定したものとしてあるが、基本的に従来におけるノックピン６と何ら変わらないものである。
【００１９】
而して、メインギヤ２に対しサブギヤ３をトーションスプリング４の付勢力が発生する方向に相対的に回転させ、サブギヤ３側に備えられているノックピン６をメインギヤ２側の固定穴８に嵌め込むと、メインギヤ２に対するサブギヤ３の相対的な回転位置が、トーションスプリング４による所定の付勢力が得られ且つ相互の歯筋が揃うセット位置（図５参照）から前記固定穴８のガタ９分だけ前記トーションスプリング４の付勢方向にずれた図３に示す如き位置に決まる。
【００２０】
ただし、そのずれ量は噛合相手側ギヤとのバックラッシより僅かに大きなものでしかなく、しかも、サブギヤ３は固定穴８のガタ９分だけメインギヤ２に対し回転することが許されていてトーションスプリング４の付勢力に抗しセット位置に復帰させることが可能であるので、シザースギヤ１を組み付ける際に、メインギヤ２とサブギヤ３の何れか一方を先に噛合相手側ギヤに噛み合わせた後に他方を僅かに回転させるだけで相互の歯筋が揃い、シザースギヤ１の噛合相手側ギヤへの組み付けが可能となる。
【００２１】
尚、固定穴８のガタ９には、噛合相手側ギヤとのバックラッシより僅かに大きなずれ量分が確保されているため、メインギヤ２の歯面とサブギヤ３の歯面とが噛合相手側ギヤの歯面を確実に挟む状態となってバックラッシが打ち消され、原動機の回転変動に起因した打音低減が従前通り図られることになる。
【００２２】
従って、上記形態例によれば、メインギヤ２に固定穴８を新たに穿設するだけで既存のノックピン６にサブギヤ３をセット位置付近に固定する機能を持たせ、これによって、固定ボルトによる仮固定を必要とせずに噛合相手側ギヤへの組み付けを実現することができるので、シザースギヤ１の組み付け時における手間を従来より著しく向上することができ、作業員の労力負担を大幅に軽減することができる。
【００２３】
尚、本発明のシザースギヤは、上述の形態例にのみ限定されるものではなく、本発明の要旨を逸脱しない範囲内において種々変更を加え得ることは勿論である。
【図面の簡単な説明】
【００２４】
【図１】本発明を実施する形態の一例を示す断面図である。
【図２】図１をＩＩ−ＩＩ方向から見た要部の拡大図である。
【図３】図１のシザースギヤの要部を斜め上方から見た斜視図である。
【図４】従来のシザースギヤの一例を示す断面図である。
【図５】図４をＶ−Ｖ方向から見た矢視図である。
【図６】図４のシザースギヤの要部を斜め上方から見た斜視図である。
【図７】固定ボルトによる仮固定の状態を示す斜視図である。
【符号の説明】
【００２５】
２  メインギヤ
３  サブギヤ
４  トーションスプリング
５  ノックピン（第一のノックピン）
６  ノックピン（第二のノックピン）
８  固定穴
９  ガタ
１０  シザースギヤ
【図１】
2010127449.tif 000003
【図２】
2010127449.tif 000004
【図３】
2010127449.tif 000005
【図４】
2010127449.tif 000006
【図５】
2010127449.tif 000007
【図６】
2010127449.tif 000008
【図７】
2010127449.tif 000009